(57)【特許請求の範囲】
【請求項１】
火災等の異常検出信号を回線単位に受信する受信部と、前記受信部の受信出力から異常を判断して警報及び連動データに対応した連動指示を行う受信制御部と、防災監視に必要な各種の操作スイッチを設けた操作部と、防災監視に必要な各種の警報表示を行う警報部と、前記受信制御部からの連動指示に基づいて外部に移報信号を出力する移報出力部とを備えた防災監視制御盤に於いて、
前記移報出力部による移報信号の出力を一括して停止する一括移報停止スイッチと、
前記一括移報停止スイッチの操作時に、前記移報出力部のほぼ全ての移報信号の出力をハードウェア系統の動作により停止する第１移報停止部と、
前記一括移報停止スイッチの操作時に、前記移報出力部のほぼ全ての移報信号の出力をＣＰＵによるソフトウェア系統の動作により停止する第２移報停止部と、
を備え、前記第１移報停止部と前記第２移報停止部を並列に設けたことを特徴とする防災監視制御盤。
【請求項２】
請求項１記載の防災監視制御盤に於いて、前記第１移報停止部は、前記一括移報停止スイッチの操作を信号線を介して直接入力することで前記移報出力部のほぼ全ての移報信号の出力を停止し、また、前記第２移報停止部は、前記受信制御部の機能を備えたメインＣＰＵで前記一括移報停止スイッチの操作を認識して前記移報出力部に設けたローカルＣＰＵに前記一括移報停止制御信号を通信し、前記ローカルＣＰＵの出力で前記移報出力部のほぼ全ての移報信号の出力を停止することを特徴とする防災監視制御盤。
【発明の詳細な説明】
【０００１】
【発明の属する技術分野】
本発明は、回線受信信号から火災等の異常を判断した際に、連動データに対応し、１又は複数の外部装置に対し１又は複数の移報出力を行う連動動作機能を備えた防災監視制御盤に関し、特に、施工時や試験時にスイッチ操作により連動動作による移報信号の出力を一括して停止できる機能を備えた防災監視装置に関する。
【０００２】
【従来の技術】
従来、例えば複合盤として知られた防災監視制御盤にあっては、火報用の受信制御機能と防排煙用の受信制御機能を個別に設けている。即ち、火報用については、火報用の受信回路を設け、受信回路から引き出された火報用感知器回線に火報用の感知器を接続している。また火報用の制御回路を設け、制御回路から引き出された制御回線に地区ベル等の地区音響装置を接続している。
【０００３】
防災監視制御盤は、火報用感知器回線に接続された感知器の発報による受信信号で火災を判断すると、盤自体で火災に対応する警報表示を行うと同時に、予め設定した連動データに対応した火報用制御回線に制御信号を送出して地区ベルを鳴動させる。
【０００４】
また防排煙用については、防排煙用の受信回路を設け、この受信回路から引き出された防排煙用感知器回線に防排煙用の感知器を接続している。また防排煙用の制御回路を設け、この制御回路から引き出された制御回線に防火戸レリーズ等の防排煙機器を接続している。
【０００５】
防災監視制御盤は、防排煙用感知器回線に接続された感知器の発報による受信信号で火災を判断すると、盤自体で火災に対応する警報表示を行うと同時に、予め設定した連動データに対応した防排煙用制御回線に制御信号を送出して防火戸レリーズを作動し、防火戸の開放保持を解除して閉鎖させると共に、盤自体で駆動中及び作動確認の表示を行う。
【０００６】
更に、防災監視制御盤には移報出力部が設けられ、火災代表信号、火災確認信号、発信機代表信号、防排煙代表信号等を予め設定した連動データに対応して外部の複数の装置、例えば地区表示盤、消火栓、非常放送設備などに移報出力して防災監視に必要な表示や制御させている。
【０００７】
【発明が解決しようとする課題】
ところで、防災監視制御盤の施工時や運用中の試験時等にあっては、回線発報を判断した際に連動動作により出力される移報出力を停止して不必要な連動動作を禁止するため、一括移報停止スイッチを設けている。この一括移報停止スイッチを操作することで、移報出力部からの移報信号の出力がほぼ全て停止し、試験による回線発報等に対し外部装置の連動動作を確実に防止できる。
【０００８】
また通常の運用時にあっても、非火災報による回線発報が判明した場合にも、移報出力を禁止するため、一括移報停止スイッチを操作する場合もある。
【０００９】
一方、近年にあっては、防災監視制御盤に内蔵された受信制御部や移報出力部等のユニットを回路基板に分け、各回路基板毎に１チップＣＰＵを実装して回路を集約化すると共に、各ＣＰＵ間で各種信号を通信するようにしている。この場合、一括移報停止スイッチの操作を受信制御部ユニット側のＣＰＵが検出すると、一括移報停止信号を移報出力部のユニット側のＣＰＵに送信して移報出力停止リレーを駆動させるようにしている。
【００１０】
しかし、万一、ＣＰＵにおいてプログラム暴走が発生したり、ＣＰＵ間での伝送に障害が発生した場合に、一括移報停止スイッチを操作しているにもかかわらず移報信号が出力されて外部装置が動作してしまい、不測の事態を招く恐れがある。
【００１１】
本発明は、このような問題点に鑑みてなされたもので、一括移報停止操作の信頼性を向上するようにした防災監視制御盤を提供することを目的とする。
【００１２】
【課題を解決するための手段】
この目的を達成するため本発明は次のように構成する。まず本発明は、火災等の異常検出信号を回線単位に受信する受信部と、受信部の受信出力から異常を判断して警報及び連動データに対応する連動指示を行う受信制御部と、防災監視に必要な各種の操作スイッチを設けた操作部と、防災監視に必要な各種の警報表示を行う警報部と、受信制御部からの連動指示に基づいて外部に移報信号を出力する移報出力部とを備えた防災監視制御盤を対象とする。
【００１３】
このような防災監視制御盤として本発明は、移報出力部による移報信号の出力を一括して停止する一括移報停止スイッチと、一括移報停止スイッチの操作時に移報出力部のほぼ全ての移報信号の出力をハードウェア系統の動作により停止する第１移報停止部と、一括移報停止スイッチの操作時に、移報出力部のほぼ全ての移報信号の出力をＣＰＵに設けたソフトウェア系統の動作により停止する第２移報停止部とを備え、第１移報停止部と第２移報停止部を並列に設けたことを特徴とする。
【００１４】
このように一括移報停止スイッチの操作に対しハードウェア系統による第１移報停止部とソフトウェア系統による第２移報停止部による２重化された一括移報停止動作が並列的に行われ、第１移報停止部と第２移報停止部のいずれか一方に障害があっても、正常な系統によって確実に移報出力を一括停止することができ、信頼性が大幅に向上する。
【００１５】
ここで、第１移報停止部は、一括移報停止スイッチの操作を信号線を介して直接入力することで移報出力部のほぼ全ての移報信号の出力を停止し、また、第２移報停止部は、受信制御部の機能を備えたメインＣＰＵで一括移報停止スイッチの操作を認識して、移報出力部に設けたローカルＣＰＵに一括移報停止制御信号を通信し、ローカルＣＰＵの出力で移報出力部のほぼ全ての移報信号の出力を停止する。
【００１６】
【発明の実施の形態】
図１は、本発明による防災監視制御盤のブロック図である。図１において、防災監視制御盤１にはメインＣＰＵ２が設けられる。メインＣＰＵ２に対しては受信回路及び制御回路をユニット化した回線ユニット３ａ，３ｂが設けられる。回線ユニット３ａからは火報用の感知器回線４ａが引き出され、火災感知器６ａを接続している。また回線ユニット３ａからは制御回線５ａが引き出され、地区ベル等の地区音響装置７を接続している。
【００１７】
回線ユニット３ｂからは防排煙用の感知器回線４ｂが引き出され、火災感知器６ｂを接続している。また回線ユニット３ｂからは制御回線５ｂが引き出され、防排煙機器８を接続している。回線ユニット３ａ，３ｂは複数設けられ、外部に引き出し可能な回線数は例えば最大で５００回線となる。この最大で５００の感知器回線に対応して制御回線も最大５００回線を引き出すことができる。
【００１８】
メインＣＰＵ２に対しては、更に、操作部１０、表示部１１、音声合成スピーカを用いた主音響装置１２、地区表示部１４ａ，１４ｂ、移報出力部１５が設けられる。操作部１０には防災監視制御盤１の防災監視に必要な各種の操作スイッチが設けられているが、本発明が対象とする移報信号の出力停止のために使用される一括移報停止スイッチ２４を示している。
【００１９】
表示部１１は、表示窓や液晶ディスプレイ等が使用され、防災監視に必要な各種の表示が行われる。主音響装置１２はメインＣＰＵにおける火災判断等の際に、警報音による警報や音声メッセージによる警報を行う。地区表示部置１４ａ，１４ｂは、回線ユニット３ａ，３ｂに対応しており、表示窓による地区表示あるいは７セグメント表示器を使用した回線番号による地区表示を行う。
【００２０】
移報出力部１５は、メインＣＰＵ２から連動データに対応した移報出力指示を受けて、地区表示盤、消火栓、非常放送設備等の複数の外部装置に対し移報信号の出力を行う。この実施形態において、メインＣＰＵ２より移報出力部１５に指示される内容は
▲１▼火災代表移報出力
▲２▼火災確認移報出力
▲３▼発信機代表移報出力
▲４▼防排煙代表移報出力
等がある。
【００２１】
またメインＣＰＵ２に対しては、ワークメモリとして動作するＳＲＡＭ１６がＣＰＵバス１７により接続される。更にＣＰＵバス１７に設けたコネクタ１８に対し、ＲＯＭパック１９に内蔵したフラッシュメモリ２０を不揮発メモリとして接続できる。
【００２２】
フラッシュメモリ２０には防災監視制御盤１の監視制御に必要な回線数、回線種別等の基本データと、感知器回線に対し、地区音響装置７や防排煙機器８を連動制御したり、外部装置に移報出力するための連動データが予め登録されており、電源投入時にフラッシュメモリ２０からＳＲＡＭ１６に展開され、メインＣＰＵ２の監視制御で使用される。
【００２３】
ここで、防災監視制御盤１に設けている回線ユニット３ａ，３ｂ、地区表示部１４ａ，１４ｂ、更に移報出力部１５には、１チップ構成のＣＰＵがそれぞれ設けられており、メインＣＰＵ２との間でシリアル通信によりデータのやり取りを行っている。
【００２４】
メインＣＰＵ２は、プログラム制御により受信制御部２ａとしての機能を実現する。受信制御部２ａは、回線ユニット３ａ，３ｂのローカルＣＰＵからシリアル通信により送られてくる回線発報データを監視し、火災等の異常を判断した場合に表示部１１に発報回線を表示し、また主音響装置１２により代表火災警報を出し、更に地区表示部１４ａ，１４ｂに対し発報回線の地区表示を行わせる。
【００２５】
また受信制御部２ａは、感知器回線の発報を判断した場合には、フラッシュメモリ２０から展開された連動データに基づき、その発報回線を連動元とし、これに対応する連動先となる移報出力先を判断し、移報出力部１５に対して連動指示を行う。
【００２６】
このような防災監視制御盤１につき、本発明にあっては、操作部１０に設けた一括移報停止スイッチ２４を操作した際に、信号線２３で示すハードウェア系統とメインＣＰＵ２及び移報出力部１５に内蔵しているローカルＣＰＵを経由したソフトウェア系統の２系統で連動動作に伴う移報出力の停止を行わせる二重化回路を備えている。
【００２７】
図２は、図１の防災監視制御盤１のメインＣＰＵ２と操作部１０と移報出力部１５を取り出して一括移報停止のための回路構成を示している。
【００２８】
図２において、図１の移報出力部１５は移報出力部回路基板１５ａに実装され、また図１のメインＣＰＵ２及び操作部１０は操作部回路基板１０ａに実装されている。移報出力部回路基板１５ａにはローカルＣＰＵ２２が設けられ、メインＣＰＵ２との間でシリアル通信による情報のやり取りを行っている。
【００２９】
操作部回路基板１０ａには一括移報停止スイッチ２４が設けられ、一括移報停止スイッチ２４は抵抗Ｒ９を介して電源電圧Ｖｃ１にプルアップされている。一括移報停止スイッチ２４の出力ラインは、メインＣＰＵ２に入力接続されると同時に、信号線２３によって移報出力部回路基板１５ａの第１移報停止回路２６に入力接続している。
【００３０】
移報出力部回路基板１５ａには移報出力回路２５が設けられる。移報出力回路２５は、抵抗Ｒ１，Ｒ２でベースバイアスされたトランジスタ２９のコレクタに移報出力リレー２８を接続している。移報出力リレー２８にはダイオードＤ１が逆方向に接続される。移報出力回路２５のトランジスタ２９のベースに対してはローカルＣＰＵ２２からの移報制御信号Ｅ０が入力される。移報制御信号Ｅ０によりトランジスタ２９がオンすると移報出力リレー２８が作動し、下側に示すリレー接点２８ａが閉じ、移報信号が出力される。
【００３１】
一括移報停止スイッチ２４のオン操作で出力されたスイッチ信号Ｅ１２はメインＣＰＵ２で検出され、シリアル通信により一括移報停止制御信号Ｅ２としてローカルＣＰＵ２２に伝送される。ローカルＣＰＵ２２はこの一括移報停止制御信号Ｅ２を受信すると、第２移報停止回路２７に移報停止制御信号Ｅ３を出力する。
【００３２】
第２移報停止回路２７は、抵抗Ｒ７，Ｒ８でベースバイアスされたトランジスタ３１のコレクタに移報停止リレー３０を接続している。移報停止リレー３０と並列には、逆向きにダイオードＤ３が接続される。この移報停止リレー３０に対しては、ダイオードＤ２を使用したオア回路により第１移報停止回路２６が接続されている。第１移報停止回路２６はインバータ３２とトランジスタ３５を備える。
【００３３】
即ち、スイッチ信号Ｅ１１を抵抗Ｒ３，Ｒ４により電源電圧Ｖｃ１にプルアップしたインバータ３２に入力し、インバータ３２の出力を抵抗Ｒ５，Ｒ６でベースバイアスされたトランジスタ３５のベースに供給している。
【００３４】
一括移報停止スイッチ２４がオフのとき、インバータ３２の入力はＨレベルにプルアップされており、このためインバータ３２の出力はＬレベルとなり、トランジスタ３５はオフしている。一括移報停止スイッチ２４がオンするとインバータ３２の出力はＨレベルに反転し、トランジスタ３５がオンし、ダイオードＤ２を用いたオア回路を介して第２移報停止回路２７の移報停止リレー３０を作動する。
【００３５】
一方、一括移報停止スイッチ２４からメインＣＰＵ２、ローカルＣＰＵ２２を経由した第２移報停止回路２７側にあっては、一括移報停止スイッチ２４がオフのときメインＣＰＵ２からの一括移報停止制御信号Ｅ２は得られないことから、ローカルＣＰＵ２２はＬレベルとなる移報停止制御信号Ｅ３を第２移報停止回路２７のトランジスタ３１に供給している。
【００３６】
一括移報停止スイッチ２４をオンすると、メインＣＰＵ２でスイッチ信号Ｅ１２が検出され、一括移報停止制御信号Ｅ２がシリアル通信によりローカルＣＰＵ２２に送られ、ローカルＣＰＵ２２は、この一括移報停止制御信号Ｅ２を受信することで、移報停止制御信号Ｅ３をＨレベルとする。このため、第２移報停止回路２７のトランジスタ３１がオンし、移報停止リレー３０を作動することになる。
【００３７】
移報停止リレー３０は、移報出力部回路基板１５ａの下側に示す切替リレー接点３０ａを有する。切替リレー接点３０ａは切替端子ａ，ｂを移報端子３３ａ，３３ｂに接続し、切替接点を移報端子３３ｃに接続している。
【００３８】
この実施形態において移報出力リレー２８の移報リレー接点出力は、通常時にリレー接点２８ａが開いたノーマルオープンタイプであることから、移報停止リレー３０の切替リレー接点３０ａの内の切替端子ａ側を移報出力リレー２８のリレー接点２８ａに直列接続している。
【００３９】
即ち、移報出力の信号線の１つを切替リレー接点３０ａの移報端子３３ｃに接続し、切替接点ａの移報出力端子３３ａをリレー接点２８ａの移報端子３４ｂに接続し、他方の移報端子３４ａを移報出力信号線の他方に接続している。これによって、移報出力リレー２８のリレー接点２８ａに対し直列に移報停止リレー３０の切替リレー接点３０ａが接続されたこととなる。
【００４０】
次に図２の実施形態の動作を説明する。定常監視状態では移報出力回路２５に対する移報制御信号Ｅ０は得られないため、トランジスタ２９はオフで移報出力リレー２８は非作動となっている。このため、リレー接点２８ａは図示のように開いており、移報出力は行われない。
【００４１】
また一括移報停止スイッチ２４も図示のようにオフしており、信号線２３によるハードウェア系統となる第１移報停止回路２６のトランジスタ３５もオフ、またメインＣＰＵ２、ローカルＣＰＵ２２を経由したソフトウェア側となる第２移報停止回路２７のトランジスタ３１もオフとなり、移報停止リレー３０は非作動にあって、切替リレー接点３０ａを図示のように切替位置ａ側に閉じている。
【００４２】
次に火災感知器等により回線発報が判断され、連動データに基づいてメインＣＰＵ２から出力される指示データを受信することで、ローカルＣＰＵ２２が出力する移報制御信号Ｅ０が得られると、トランジスタ２９のオンにより移報出力リレー２８が作動し、リレー接点２８ａが閉じる。
【００４３】
このとき移報停止リレー３０は非作動状態となって切替リレー接点３０ａを切替位置ａ側に閉じているため、移報端子３４ａと３３ｃの間にリレー接点２８ａが閉じることによる直列回路が形成され、これによって移報出力が外部に対し行われる。
【００４４】
一方、試験等にあっては、試験発報による連動動作で移報出力が行われないようにしたいことがあるため、一括移報停止スイッチ２４をオン操作しておく。一括移報停止スイッチ２４をオンすると信号線２３のスイッチ信号Ｅ１１がＬレベルとなり、第１移報停止回路２６のインバータ３２の出力がそれまでのＬレベルからＨレベルに反転し、トランジスタ３５がオンし、ダイオードＤ２を介して移報停止リレー３０が作動する。
【００４５】
一方、一括移報停止スイッチ２４のオンに伴い、スイッチ信号Ｅ１２がメインＣＰＵ２にも供給され、メインＣＰＵ２は一括移報停止スイッチ２４のオン操作を認識すると、シリアル通信により一括移報停止制御信号Ｅ２をローカルＣＰＵ２２に通知する。メインＣＰＵ２からの一括移報停止制御信号Ｅ２の通知を受けたローカルＣＰＵ２２は、移報停止制御信号Ｅ３をＨレベルとする。このため、第２移報停止回路２７のトランジスタ３１がオンし、移報停止リレー３０が作動する。
【００４６】
この結果、一括移報停止スイッチ２４をオン操作すれば、ハードウェア系統及びソフトウェア系統の両方が正常な場合にはトランジスタ３１，３５のオンによる駆動で移報停止リレー３０が作動される。移報停止リレー３０が作動されると、その切替リレー接点３０ａが切替位置ｂ側に切り替わり、移報端子３３ｃと３４ａの間の基板内の直列接続ラインを開く。このため、移報制御信号Ｅ０により移報出力回路２５の移報出力リレー２８が作動してリレー接点２８ａが閉じても、移報出力は行われない。
【００４７】
また移報出力リレー２８が作動してリレー接点２８ａが閉じて移報出力中であっても、切替リレー接点３０ａが切替出力側に切り替わることで、移報出力は停止される。
【００４８】
従って、一括移報停止スイッチ２４をオン操作した場合、メインＣＰＵ２やローカルＣＰＵ２２等においてプログラム暴走や伝送エラー等の障害が発生してソフトウェア系統が正常に動作しなかった場合でも、信号線２３によるスイッチ信号Ｅ１１の供給で第１移報停止回路２６のトランジスタ３５がオンして移報停止リレー３０を作動し、ハードウェア系統で確実に移報出力を停止することができる。
【００４９】
また、一括移報停止スイッチ２４をオン操作したときに、例えば第１移報停止回路２６及び信号線２３側のハードウェア系統に回路故障や障害があった場合にも、メインＣＰＵ２、ローカルＣＰＵ２２を含む第２移報停止回路２７側のソフトウェア系統が有効に動作して、トランジスタ３１のオンにより移報停止リレー３０を作動して一括移報停止を行うことができる。
【００５０】
尚、図２は移報制御信号Ｅ０に対応して１つの移報出力回路２５のみを示しているが、実際には火災代表移報信号、火災確認移報信号、発信器代表移報信号、防排煙代表移報信号等の複数の移報信号に対応して移報出力回路２５が複数設けられている。
【００５１】
また第２移報停止回路２７も移報出力回路２５の数にほぼ対応して複数設けられ、この複数の第２移報停止回路２７に対し共通にハードウェア系統としての第１移報停止回路２６がダイオードＤ２のようなダイオードオアを以て接続されている。
【００５２】
更に、移報主力する外部装置によっては、一括移報停止スイッチの操作により移報停止されなくても良いものがあるが、このような場合には、移報出力リレー２８のリレー接点２８ａに対し、移報停止リレレー３０の切替接点３０ａを接続せず、直接、移報端子３４ａ，３４ｂに移報出力の信号線を接続すれば良い。
【００５３】
【発明の効果】
以上説明してきたように本発明によれば、一括移報停止スイッチの操作に対しハードウェア系統による第１移報停止部とＣＰＵのソフトウェア系統による第２移報停止部との２系統による移報停止動作が並列的に行われ、移報停止動作の二重化によって、ハードウェア系統とソフトウェア系統のいずれかに障害があっても、正常な回路系によって確実に一括移報停止を行うことができ、一括移報停止スイッチの操作に伴う移報停止の信頼性を大幅に向上することができる。
【図面の簡単な説明】
【図１】本発明による防災監視制御盤のブロック図
【図２】本発明の二重化された一括移報停止の実施形態の回路ブロック図
【符号の説明】
１：防災監視制御盤
２：メインＣＰＵ
２ａ：受信制御部
３ａ，３ｂ：回線ユニット
４ａ，４ｂ：感知器回線
５ａ，５ｂ：制御回線
６ａ，６ｂ：火災感知器
７：地区音響装置
８：防排煙機器
１０：操作部
１０ａ：操作部回路基板
１１：表示部
１２：主音響装置
１４ａ，１４ｂ：地区表示部
１５：移報出力部
１５ａ：移報出力部回路基板
１６：ＳＲＡＭ
１７：ＣＰＵバス
１８：コネクタ
１９：ＲＯＭパック
２０：フラッシュメモリ
２１：電源ユニット
２２：ローカルＣＰＵ
２３：信号線
２４：一括移報停止スイッチ
２５：移報出力回路
２６：第１移報停止回路
２７：第２移報停止回路
２８：移報出力リレー
２８ａ：リレー接点
２９，３１：トランジスタ
３０：移報停止リレー
３０ａ：切替リレー接点
３３ａ〜３３ｃ，３４ａ，３４ｂ：移報端子
【図１】
0003725719.tif 000002
【図２】
0003725719.tif 000003